(57)【要約】【課題】簡単に溶着性ビーズ玩具の集合体同士を連結することができる溶着性ビーズ玩具用ジョイント部材を提供する。【解決手段】溶着性ビーズ玩具用ジョイント部材１Ａは、水溶性樹脂で形成された複数の溶着性ビーズ玩具が係合するための係合凹部１０を備える。この係合凹部１０は、平板状の鍔状部１２と、鍔状部１２の側面１２ａから立設する軸部１４と、軸部１４の端部に形成され、軸部１４より径方向に大きく形成される挿入部１６と、を備える。【選択図】    図１
0003210316.tif 000002
【実用新案登録請求の範囲】
【請求項１】
水溶性樹脂で形成された複数の溶着性ビーズ玩具が係合するための係合凹部を備える溶着性ビーズ玩具用ジョイント部材であって、
前記係合凹部は、
平板状の鍔状部と、
前記鍔状部から立設する軸部と、
前記軸部の端部に形成され、前記軸部より径方向に大きく形成される挿入部と、
を備えることを特徴とする溶着性ビーズ玩具用ジョイント部材。
【請求項２】
前記係合凹部は、前記軸部周りに環状に形成されることを特徴とする請求項１に記載の溶着性ビーズ玩具用ジョイント部材。
【請求項３】
前記挿入部の突端部には頂部が形成されることを特徴とする請求項１又は請求項２に記載の溶着性ビーズ玩具用ジョイント部材。
【請求項４】
前記挿入部は、多面体形状に形成されることを特徴とする請求項１乃至請求項３の何れかに記載の溶着性ビーズ玩具用ジョイント部材。
【請求項５】
前記鍔状部には、水溶性樹脂で形成された複数の溶着性ビーズ玩具の集合体の一部を挟持して保持可能な挟持部が形成されることを特徴とする請求項１乃至請求項４の何れかに記載の溶着性ビーズ玩具用ジョイント部材。
【請求項６】
前記鍔状部には、ボールジョイントを構成するボール部又は受部が形成されることを特徴とする請求項１乃至請求項４の何れか記載の溶着性ビーズ玩具用ジョイント部材。
【考案の詳細な説明】
【技術分野】
【０００１】
本考案は、複数の溶着性ビーズ玩具の集合体同士を接続して遊ぶための溶着性ビーズ玩具用ジョイント部材に関する。
【背景技術】
【０００２】
従来から、水溶性樹脂で形成された粒状のビーズを用いた溶着性ビーズ玩具が提供されている。特許文献１には、溶着性ビーズ玩具が載置されるよう複数の凹部が形成される保持トレイと、ベーストレイと、保持トレイとベーストレイとの間に差し込むシートを備えるビーズ玩具セットが開示されている。ここで、このシートには、図柄が記載されており、使用者はこの図柄に合わせて溶着性ビーズ玩具を保持トレイに配置することで、種々の形状の溶着性ビーズ玩具の集合体を作成することができる。
【０００３】
この溶着性ビーズ玩具は、例えば、ポリビニルアルコールを樹脂に配合して混練して粒状に形成される。そして、複数の溶着性ビーズ玩具を保持トレイに載置した後、霧吹き等により水を溶着性ビーズ玩具に供給して湿潤状態とすることで、溶着性ビーズ玩具は溶融する。その後、所定時間放置して乾燥させると、溶融した樹脂が硬化し、溶着性ビーズ玩具同士が結合する。このようにして、主な使用者である子供は、所望の図柄の溶着性ビーズ玩具の集合体を作成して楽しむことができる。
【０００４】
また、特許文献２には、ブロック同士やブロックと他の部材（人形等）を連結して楽しむためのジョイント部材が開示されている。このジョイント部材は、略密集状態で配置される多数の突起からなるジョイント手段を備える。そして、ブロック同士等の連結は、このジョイント手段同士が、一方のジョイント手段における隣り合う突起の隙間に他方のジョイント手段における突起が入り込むようにして、連結される。
【先行技術文献】
【特許文献】
【０００５】
【特許文献１】実用新案登録第３１３１２９２号公報
【特許文献２】特開２００３−１０５６４号公報
【考案の概要】
【考案が解決しようとする課題】
【０００６】
種々の図柄の溶着性ビーズ玩具の集合体を複数作成した子供は、これらの溶着性ビーズ玩具の集合体同士を連結して遊びたいと考えることもある。この場合、特許文献２で開示されるような複数の突起同士を連結させて溶着性ビーズ玩具の集合体同士を連結させるには、溶着性ビーズ玩具の集合体の作成時に複数の突起を備える部材を設けておくか、又は後から接着等で取り付ける必要があり、煩雑であるとともに、溶着性ビーズ玩具の集合体の製作に制限が生じて、遊びの楽しさが低減されてしまう。
【０００７】
本考案は、簡単に溶着性ビーズ玩具の集合体同士を連結することができる溶着性ビーズ玩具用ジョイント部材を提供する。
【課題を解決するための手段】
【０００８】
本考案の一つの態様に係る溶着性ビーズ玩具用ジョイント部材は、水溶性樹脂で形成された複数の溶着性ビーズ玩具が係合するための係合凹部を備え、前記係合凹部は、軸部と、前記軸部の端部に形成され、前記軸部より径方向に大きく形成される挿入部と、前記軸部の他方端側に形成される鍔状部と、を備える。
【考案の効果】
【０００９】
上記態様によれば、溶着性ビーズ玩具の集合体に間欠部を形成すれば、当該間欠部に挿入部を挿入するだけで溶着性ビーズ玩具と係合凹部を係合させることができるので、容易に溶着性ビーズ玩具の集合体を連結することができる溶着性ビーズ玩具用ジョイント部材を提供することができる。
【図面の簡単な説明】
【００１０】
【図１】本考案の第１実施形態に係る溶着性ビーズ玩具用ジョイント部材の斜視図である。
【図２】本考案の第１実施形態に係る溶着性ビーズ玩具用ジョイント部材を示す図であり、（ａ）は平面図、（ｂ）は正面図を示す。
【図３】溶着性ビーズ玩具の集合体の作成過程の一例を示す斜視図である。
【図４】本考案の第１実施形態に係る溶着性ビーズ玩具用ジョイント部材が溶着性ビーズ玩具の集合体に取り付けられている状態を示す図であり、（ａ）平面図であり、（ｂ）は（ａ）の領域Ｓの溶着性ビーズ玩具を省略して（ａ）のＰから見た正面図である。
【図５】本考案の第２実施形態に係る溶着性ビーズ玩具用ジョイント部材の斜視図である。
【図６】本考案の第３実施形態に係る溶着性ビーズ玩具用ジョイント部材の斜視図である。
【図７】本考案の第４実施形態に係る溶着性ビーズ玩具用ジョイント部材及び挟持ジョイントの斜視図である。
【図８】本考案の第２及び第３実施形態に係る溶着性ビーズ玩具用ジョイント部材の使用例を示す斜視図である。
【考案を実施するための形態】
【００１１】
以下、図に基づいて本考案の実施形態を説明する。図１及び図２は、本考案の第１実施形態に係る溶着性ビーズ玩具用ジョイント部材１Ａを示す図である。溶着性ビーズ玩具用ジョイント部材１Ａは、中央に平板状（具体的には円盤状）の鍔状部１２が形成される。そして、この鍔状部１２の各側面１２ａから外方に向けて軸部１４が立設する。軸部１４は、円柱状とされている。そして、この軸部１４の端部には、挿入部１６が形成されている。
【００１２】
挿入部１６は、軸部１４より径方向に大きく膨出して形成されている。具体的には、後述の図３における溶着性ビーズ玩具８０の直径よりも大きい径で形成されている。軸部１４は、溶着性ビーズ玩具８０よりも小さい径で形成される。
【００１３】
図１及び図２に示すように、挿入部１６は、多面体形状に形成されている。そして、挿入部１６には、軸部１４の軸心方向における最外方端に頂部１６ａが形成されている。頂部１６ａ周りには、５個の第一菱形面１６ｂが形成されている。この５個の第一菱形面１６ｂは、平面視（図２（ａ）参照）において星形となるよう形成されている。そして、この５個の第一菱形面１６ｂ周りには、５個の第二菱形面１６ｃが配置されている。さらに、この５個の第二菱形面１６ｃ周りには、１０個の直角台形面１６ｄが配置されている。直角台形面１６ｄの軸部１４側の辺は、軸部１４の軸心方向と直交する辺とされる。
【００１４】
前述の通り、挿入部１６は軸部１４から膨出しているので、挿入部１６の軸部１４側には、段差部１７が形成されている。段差部１７は、軸部１４の軸心と直交する環状の面とされている。そして、鍔状部１２の側面１２ａと、軸部１４の周面と、挿入部１６の段差部１７と、により係合凹部１０が形成される。本実施形態における溶着性ビーズ玩具用ジョイント部材１Ａには、２つの係合凹部１０が上下にそれぞれ形成されている。そして、係合凹部１０は、軸部１４周りに環状に形成される。
【００１５】
このように形成される溶着性ビーズ玩具用ジョイント部材１Ａは、例えば、図３で示される溶着性ビーズ玩具８０の集合体で使用することができる。ここで、溶着性ビーズ玩具８０は公知のものが用いられる。例えば、溶着性ビーズ玩具８０は、ポリビニルアルコールを樹脂に配合して混錬して形成される。その形状は、本実施形態においては、真球形状の溶着性ビーズ玩具８０を示しているが、この他、多面体形状等に成形することもできる。また、種々の色の溶着性ビーズ玩具８０を用いることもできる。
【００１６】
また、保持トレイ５０は、溶着性ビーズ玩具８０とともに公知の一例の保持トレイ５０である。保持トレイ５０は平面視略正方形の板状に形成されている。保持トレイ５０の表面には複数の円形の凹部５２が設けられている。凹部５２は、異なる行（または列）毎にオフセットして配置されている。これにより、凹部５２に載置された１つの溶着性ビーズ玩具８０を中心として、放射状に６個の溶着性ビーズ玩具８０を凹部５２に載置することができる。また、凹部５２の直径は、溶着性ビーズ玩具８０の直径よりも小さく形成されるとともに、隣り合う凹部５２の中心間の距離は、隣り合う凹部５２に配置された溶着性ビーズ玩具８０が相互に接触して又は相互に僅かに接触しない程度に配置されるよう設定されている。なお、その他の公知の保持トレイには、丸などの形状をしたものや、凹部５２が上記のようにオフセットしないで並列して配置されているものがある。
【００１７】
この例では、保持トレイ５０に複数の溶着性ビーズ玩具８０が略円形となるよう配置されている。そして、この溶着性ビーズ玩具８０の集合体の中心は、溶着性ビーズ玩具８０が配置されていない間欠部８１が形成されている。保持トレイ５０に載置された溶着性ビーズ玩具８０の集合体に水を霧吹き等で供給して、自然乾燥させると、溶着性ビーズ玩具８０同士が結合して、図３の略円形をした溶着性ビーズ玩具８０の集合体が完成する。
【００１８】
図３に示す溶着性ビーズ玩具８０の集合体の完成後、溶着性ビーズ玩具用ジョイント部材１Ａの挿入部１６を間欠部８１に圧入して挿入すると、図４（ａ），（ｂ）に示す状態となる。ここで、図４（ｂ）は、図４（ａ）のうちＳの範囲における溶着性ビーズ玩具８０を省略してＰ側から見た側面図である。
【００１９】
完成した溶着性ビーズ玩具８０の集合体の間欠部８１に溶着性ビーズ玩具用ジョイント部材１Ａの一方側の挿入部１６を圧入して挿入すると、一方側の係合凹部１０に溶着性ビーズ玩具８０の集合体を係合させることができる。挿入部１６を間欠部８１に圧入する際には、挿入部１６に頂部１６ａが形成されるので、挿入部１６を間欠部８１に挿入し易い。また、鍔状部１２は、係合凹部１０に溶着性ビーズ玩具８０が係合している状態において、鍔状部１２の側面１２ａに溶着性ビーズ玩具８０が載置される程度に広く形成されている。そして、挿入部１６が軸部１４から膨出する膨出量は、係合凹部１０に溶着性ビーズ玩具８０が係合している状態において、段差部１７の縁が溶着性ビーズ玩具８０の表面に当接可能な程度とされている。従って、係合凹部１０に溶着性ビーズ玩具８０が係合している状態において、溶着性ビーズ玩具用ジョイント部材１Ａは、十分に溶着性ビーズ玩具８０の集合体から抜け止めされる。
【００２０】
そして、溶着性ビーズ玩具用ジョイント部材１Ａには、２つの係合凹部１０が形成されるので、他方側の係合凹部１０にも別の溶着性ビーズ玩具８０の集合体の間欠部（８１）に他方側の挿入部１６を挿入すれば、２つの異なる溶着性ビーズ玩具８０の集合体同士を接続することができる。
【００２１】
なお、間欠部８１は、図３のように、複数の溶着性ビーズ玩具８０に水を供給して結合させる前から溶着性ビーズ玩具８０を間欠させておくこともできるが、溶着性ビーズ玩具８０の集合体の完成後（結合後）に、カッターナイフ等で一つの溶着性ビーズ玩具８０だけを切り取るように取り外して間欠部８１を形成することもできる。
【００２２】
このように、挿入部１６を溶着性ビーズ玩具８０の集合体における間欠部８１に挿入して、係合凹部１０に溶着性ビーズ玩具８０を係合させることで、溶着性ビーズ玩具用ジョイント部材１Ａを介して、溶着性ビーズ玩具８０の集合体同士を接続することができる。
【００２３】
次に、本考案に係る溶着性ビーズ玩具用ジョイント部材の第２実施形態を図５に基づいて説明する。なお、第１実施形態と同じ個所については同じ符号を付して、その説明は省略又は簡略化する。本実施形態の溶着性ビーズ玩具用ジョイント部材１Ｂは、２つの鍔状部２２ａが接続部２２ｂで連結された板状の接続ベース２２が形成されている。そして、各鍔状部２２ａは、平面視において多角形状に形成されている。
【００２４】
本実施形態においても、係合凹部１０は、挿入部１６の段差部１７（図１参照）と、軸部１４の周面と、鍔状部２２ａの一方側の側面と、により形成される。そして、挿入部１６を溶着性ビーズ玩具８０の集合体における間欠部８１（図３参照）に挿入すると、係合凹部１０に溶着性ビーズ玩具８０が係合される。従って、溶着性ビーズ玩具用ジョイント部材１Ｂにおける２つの係合凹部１０のそれぞれに別々の溶着性ビーズ玩具８０の集合体を係合すれば、２つの溶着性ビーズ玩具８０の集合体を容易に連結することができる。
【００２５】
次に、本考案に係る溶着性ビーズ玩具用ジョイント部材１Ｃの第３実施形態を図６に基づいて説明する。なお、第１実施形態と同じ個所については同じ符号を付して、その説明は省略又は簡略化する。
【００２６】
本実施形態においては、第１実施形態と同様に、軸部１４の一方端に挿入部１６が形成され、この軸部１４は平板状（円盤状）の鍔状部１２の一方側の側面１２ａ上に立設される。さらに、本実施形態の溶着性ビーズ玩具用ジョイント部材１Ｃは、鍔状部１２の他方側の側面側に接続軸２５を介して挟持部３０が設けられている。挟持部３０は、図６における横断面視略溝状となるよう、２枚の挟持板３１が対向して配置されている。挟持板３１は、それぞれ基端部で底板３２に接続されている。そして、底板３２は、外面側（すなわち、略溝状を形成する面を内側としたときの反対側の面）において円柱形状の接続軸２５と接続される。接続軸２５は、鍔状部１２の他方の側面と接続される。ここで、挟持部３０の挟持板３１の間隔は、溶着性ビーズ玩具８０の直径より若干小さく形成される。
【００２７】
次に、本考案に係る溶着性ビーズ玩具用ジョイント部材の第４実施形態を図７に基づいて説明する。本実施形態の溶着性ビーズ玩具用ジョイント部材１Ｄは、ボールジョイント４０により挟持ジョイント２Ｄと連結されている。なお、第１実施形態乃至第３実施形態と同じ個所については同じ符号を付して、その説明は省略又は簡略化する。
【００２８】
本実施形態においては、第２実施形態と同様形状の平面視多角形状である鍔状部２２ａの側面から軸部１４が立設し、この軸部１４の端部に挿入部１６が形成される。そして、鍔状部２２ａは、接続部２２ｂを介して、ボールジョイント４０を構成する受部４３と接続している。受部４３は、椀状（換言すればボウル状）に形成される。
【００２９】
一方、挟持ジョイント２Ｄは、第３実施形態と同構成の挟持部３０が形成される。挟持部３０は、接続軸４５を介してボール部４６と接続されている。溶着性ビーズ玩具用ジョイント部材１Ｄの受部４３には、ボールジョイント４０を構成するボール部４６が摺動自在に嵌め込まれている。従って、溶着性ビーズ玩具用ジョイント部材１Ｄと挟持ジョイント２Ｄは、ボールジョイント４０により、角度自在に滑動する。
【００３０】
以上のように形成される溶着性ビーズ玩具用ジョイント部材１Ａ〜１Ｄを用いれば、溶着性ビーズ玩具８０の集合体同士を連結することができる。例えば、図８で示すように、人型の溶着性ビーズ玩具８０の集合体８５と、剣の形をした溶着性ビーズ玩具８０の集合体８６と、盾の形をした溶着性ビーズ玩具の集合体８７と、を作成した場合には、溶着性ビーズ玩具用ジョイント部材１Ｂ，１Ｃを用いて溶着性ビーズ玩具８０の集合体同士を連結することができる。具体的には、剣の形をした溶着性ビーズ玩具８０の集合体８６と人型の溶着性ビーズ玩具８０の集合体８５の左手の部分との連結は、溶着性ビーズ玩具用ジョイント部材１Ｂを用いることができる。また、盾の形をした溶着性ビーズ玩具８０の集合体８７と人型の溶着性ビーズ玩具８０の集合体８５の右手の部分との連結は、溶着性ビーズ玩具用ジョイント部材１Ｃを用いることができる。
【００３１】
このように、溶着性ビーズ玩具用ジョイント部材１Ａ〜１Ｄは、溶着性ビーズ玩具８０の集合体を保持する保持部を２つ設けて、少なくとも一方の保持部には係合凹部１０を形成した。これにより、少なくとも一方の溶着性ビーズ玩具８０の集合体には溶着性ビーズ玩具用ジョイント部材１Ａ〜１Ｄを強固に保持させることができる。
【００３２】
以上のような本考案の実施形態によれば、下記の態様の溶着性ビーズ玩具用ジョイント部材を提供することができる。
【００３３】
第１の態様に係る溶着性ビーズ玩具用ジョイント部材は、水溶性樹脂で形成された複数の溶着性ビーズ玩具が係合するための係合凹部を備え、前記係合凹部は、平板状の鍔状部と、前記鍔状部から立設する軸部と、前記軸部の端部に形成され、前記軸部より径方向に大きく形成される挿入部と、を備える。
【００３４】
この構成によれば、溶着性ビーズ玩具の集合体が複数作成された場合において、これらの溶着性ビーズ玩具の集合体同士の間欠部に挿入部を挿入するだけで係合凹部に溶着性ビーズ玩具を係合させることができるので、容易に溶着性ビーズ玩具の集合体同士を連結して楽しむことができる。
【００３５】
第２の態様に係る溶着性ビーズ玩具用ジョイント部材は、前記係合凹部は、前記軸部周りに環状に形成される。
【００３６】
この構成によれば、溶着性ビーズ玩具が係合する係合凹部が環状に形成されるので、軸部周りの溶着性ビーズ玩具を全て係合凹部に係合させることができる。従って、より確実に、かつ、強固に溶着性ビーズ玩具の集合体同士を連結することができる。
【００３７】
第３の態様に係る溶着性ビーズ玩具用ジョイント部材は、前記挿入部の突端部には頂部が形成される。
【００３８】
この構成によれば、溶着性ビーズ玩具の集合体における間欠部への挿入部の挿入がより一層し易くなるので、さらに扱いやすい溶着性ビーズ玩具用ジョイント部材を提供することができる。
【００３９】
第４の態様に係る溶着性ビーズ玩具用ジョイント部材は、前記挿入部は、多面体形状に形成される。
【００４０】
これにより、挿入部の形状を意匠性の高いものとすることができるので、例えば平面視において星形に見えるように形成する等して、さらに楽しく遊ぶことができる溶着性ビーズ玩具用ジョイント部材を提供することができる。
【００４１】
第５の態様に係る溶着性ビーズ玩具用ジョイント部材は、前記鍔状部には、水溶性樹脂で形成された複数の溶着性ビーズ玩具の集合体の一部を挟持して保持可能な挟持部が形成される。
【００４２】
この構成によれば、溶着性ビーズ玩具用ジョイント部材の一方側は係合凹部により溶着性ビーズ玩具の集合体を連結し、溶着性ビーズ玩具用ジョイント部材の他方側は溶着性ビーズ玩具の集合体の縁を差し込んで保持可能な挟持部が形成されるので、さらにバリエーションに富んだ溶着性ビーズ玩具の集合体同士の連結を楽しむことができる。
【００４３】
第６の態様に係る溶着性ビーズ玩具用ジョイント部材は、前記鍔状部には、ボールジョイントを構成するボール部又は受部が形成される。
【００４４】
この構成によれば、溶着性ビーズ玩具の集合体同士の連結部をフレキシブルに動かすことができる溶着性ビーズ玩具用ジョイント部材を提供することができる。
【００４５】
以上、本考案の実施形態を説明したが、本考案は以上の実施形態によって限定されることはなく、種々の態様で実施することができる。
【符号の説明】
【００４６】
１Ａ    溶着性ビーズ玩具用ジョイント部材
１Ｂ    溶着性ビーズ玩具用ジョイント部材
１Ｃ    溶着性ビーズ玩具用ジョイント部材
１Ｄ    溶着性ビーズ玩具用ジョイント部材
２Ｄ    挟持ジョイント
１０    係合凹部                    １２    鍔状部
１２ａ  側面                        １４    軸部
１６    挿入部                      １６ａ  頂部
１６ｂ  第一菱形面                  １６ｃ  第二菱形面
１６ｄ  直角台形面                  １７    段差部
２２    接続ベース                  ２２ａ  鍔状部
２２ｂ  接続部                      ２５    接続軸
３０    挟持部                      ３１    挟持板
３２    底板                        ４０    ボールジョイント
４３    受部                        ４５    接続軸
４６    ボール部                    ５０    保持トレイ
５２    凹部                        ８０    溶着性ビーズ玩具
８１    間欠部                      ８５    集合体
８６    集合体                      ８７    集合体
【図１】
0003210316.tif 000003
【図２】
0003210316.tif 000004
【図３】
0003210316.tif 000005
【図４】
0003210316.tif 000006
【図５】
0003210316.tif 000007
【図６】
0003210316.tif 000008
【図７】
0003210316.tif 000009
【図８】
0003210316.tif 000010